(57)【特許請求の範囲】
【請求項１】
矩形の開口部を有する枠体部と、当該枠体部に４辺に隣接した折曲げ片部とから成る１枚のプラスチック製段ボール板を折り曲げて緩衝支持部材を構成し、当該折り曲げられた緩衝支持部材に対しては、前記枠体部の開口部を伸縮性の高いプラスチックフィルムにより閉塞して梱包用緩衝支持枠を構成し、
さらに、当該梱包用緩衝支持枠は、前記プラスチック製段ボール板を折り曲げた緩衝支持部材の端縁部に対して、樹脂製の補強フレームを前記プラスチックフィルムを巻き込んで挿入固定して構成されており、
当該梱包用緩衝支持枠を２個１組として使用し、梱包品を前記２個の緩衝支持部材の枠体部の開口部を閉塞する２枚のプラスチックフィルムによって挟んで梱包するようにしたことを特徴するプラスチック段ボール製の梱包用緩衝支持枠。
【請求項２】
前記樹脂製の補強フレームは、辺部補強サッシ及びコーナー部補強サッシから成ることを特徴とする請求項１記載のプラスチック段ボール製の梱包用緩衝支持枠。
【請求項３】
矩形の開口部を有する枠体部と、当該枠体部に４辺に隣接した折曲げ片部とから成る１枚のプラスチック製段ボール板を折り曲げて緩衝支持部材を構成し、当該折り曲げられた緩衝支持部材に対しては、前記枠体部の開口部を伸縮性の高いプラスチックフィルムにより閉塞して梱包用緩衝支持枠と成し、
前記プラスチック製段ボール板を折り曲げた緩衝支持部材の端縁部に対して、樹脂製の補強フレームを前記プラスチックフィルムを巻き込んで挿入固定して梱包用緩衝支持枠を成し、
当該梱包用緩衝支持枠を２個１組として使用し、梱包品を前記２個の緩衝支持部材の枠体部の開口部を閉塞する２枚のプラスチックフィルムによって挟んで梱包するようにしたことを特徴する梱包品の梱包方法。
【発明の詳細な説明】
【技術分野】
【０００１】
本発明は、精密機器等の搬送の際に用いるプラスチック段ボール製の梱包用緩衝支持枠であって、特に、プラスチック段ボールに対して樹脂製の補強サッシ及びコーナー部材を挿入固定した一対の梱包用緩衝支持枠によって梱包品を挟んで梱包する簡易な梱包であっても、衝撃に対して強固に梱包品の保護することを可能とするプラスチック段ボール製の梱包用緩衝支持枠及び梱包品の梱包方法に関する。
【背景技術】
【０００２】
従来、通箱や緩衝材として種々の技術が開示されている。例えば、本願出願人は、特許文献１において、中央部に開口部を設けた上下枠体の開口部を覆うように弾性フィルムを貼り付けた上下フィルム枠体により被梱包物である小型精密機器を挟み込み、上下フィルム枠体を容器に収容して小型精密機器を輸送するようにした小型精密機器包装体を提案している。
特許文献１の概要は、１枚の段ボールからなり、枠対接面の四方を折り曲げて立縁部を設け、枠対接面に切込を入れて副立縁部を設けると共に折り曲げて開口部を設け、立縁部と副立縁部とを係合して折曲げ片部を形成するよう構成するというものである。
【先行技術文献】
【特許文献】
【０００３】
【特許文献１】特開２０１１−２０７５１２号公報
【発明の概要】
【発明が解決しようとする課題】
【０００４】
しかしながら上記特許文献１の構成は、段ボールを用いることを前提としており、加工が容易な反面、通箱等で継続して輸送に利用するケースでは耐久性に若干乏しいという問題点がある。またフィルムを適宜手段にて貼着するため、フィルムに塑性変形や裂損等の破損が生じた場合、補修に際しフィルムを剥離する必要があり、段ボールが破損してしまう虞があった。
【０００５】
本発明は、上記課題に鑑みてなされたものであり、より強度と再利用性の高いプラスチック段ボール製の梱包用緩衝支持枠であり、加えて、返送や保管の際の収納スペースを大きく圧縮し、搬送コストの削減と保管場所の確保を可能とするプラスチック段ボール製の梱包用緩衝支持枠を提供することをその目的とする。
【課題を解決するための手段】
【０００６】
本発明におけるプラスチック段ボール製の梱包用緩衝支持枠は、外形を矩形とした開口部を有する枠体部と、該枠体部の開口部を閉塞する伸縮性の高いプラスチックフィルムにより構成された緩衝支持部材を２個１組として使用し、前記２個の緩衝支持部材の枠体部の開口部を閉塞するプラスチックフィルムによって搬送品を挟んで梱包するように構成したことを特徴する。
【０００７】
本発明の矩形のプラスチック段ボール製の梱包用緩衝支持枠は、矩形の開口部（Ａ）を有する枠体部（２）と、当該枠体部（２）に４辺に隣接した折曲げ片部（３，４）とから成る１枚のプラスチック製段ボール板（１）を折り曲げて緩衝支持部材（１０）を構成し、当該折り曲げられた緩衝支持部材（１０）に対しては、前記枠体部（２）の開口部（Ａ）を伸縮性の高いプラスチックフィルム（７）により閉塞して梱包用緩衝支持枠（１００）を構成し、
さらに、当該梱包用緩衝支持枠（１００）は、前記プラスチック製段ボール板（１）を折り曲げた緩衝支持部材（１０）の端縁部に対して、樹脂製の補強フレーム（５，６）を前記プラスチックフィルム（７）を巻き込んで挿入固定して構成されており、
当該梱包用緩衝支持枠を２個１組として使用し、梱包品（Ｂ）を前記２個の緩衝支持部材（１０）の枠体部（２）の開口部（Ａ）を閉塞する２枚のプラスチックフィルム（７）によって挟んで梱包するようにしたことを特徴する。
【０００８】
さらに、本発明のプラスチック段ボール製の梱包用緩衝支持枠は、前記樹脂製の補強フレーム（５，６）は、辺部補強サッシ（５）及びコーナー部補強サッシ（６）から成ることを特徴とする。
【００１０】
本発明の梱包品の梱包方法は、矩形の開口部（Ａ）を有する枠体部（２）と、当該枠体部（２）に４辺に隣接した折曲げ片部（３，４）とから成る１枚のプラスチック製段ボール板（１）を折り曲げて緩衝支持部材（１０）を構成し、当該折り曲げられた緩衝支持部材（１０）に対しては、前記枠体部（２）の開口部（Ａ）を伸縮性の高いプラスチックフィルム（７）により閉塞して梱包用緩衝支持枠（１００）と成し、
前記プラスチック製段ボール板（１）を折り曲げた緩衝支持部材（１０）の端縁部に対して、樹脂製の補強フレーム（５，６）を前記プラスチックフィルム（７）を巻き込んで挿入固定して梱包用緩衝支持枠（１００）を成し、
当該梱包用緩衝支持枠（１００）を２個１組として使用し、梱包品（Ｂ）を前記２個の緩衝支持部材（１０）の枠体部（２）の開口部（Ａ）を閉塞する２枚のプラスチックフィルム（７）によって挟んで梱包するようにしたことを特徴する。
【発明の効果】
【００１１】
本発明によれば、プラスチック段ボール製の梱包用緩衝支持枠は、梱包品を２つの緩衝支持部材によって挟持し、バンドや紐等の適宜手段によって挟持した状態を維持固定するという簡易な構成であり、梱包品を外部からの衝撃等から保護することが可能となる。また、構造も簡易であるため、製造コストを低く抑えることができる。さらに、樹脂製の補強フレームを取り外すことで、夫々の緩衝支持部材を平板状の１枚のプラスチック段ボールとすることができ、非使用時におけるプラスチック段ボール製の梱包用緩衝支持枠の収納スペースを圧縮することができる。
さらに、本発明は、梱包用緩衝支持枠の保管の際の収納スペースを大きく圧縮し、梱包用緩衝支持枠そのものの搬送コストの削減と保管場所の確保を
【図面の簡単な説明】
【００１２】
【図１】本発明の実施例における、プラスチック段ボール製の梱包用緩衝支持枠を構成する緩衝支持部材を展開したプラスチック段ボール板の平面図である。
【図２】（Ａ）は、本発明の実施例における、補強フレームとしての辺部補強サッシを示す斜視図である。（Ｂ）は、その一部破断した斜視図である。
【図３】（Ａ）は、本発明の実施例における、補強フレームとしてのコーナー部補強サッシを示す斜視図である。（Ｂ）は、その一部破断した斜視図である。
【図４】本発明の実施例における、プラスチック段ボール板を折り曲げて緩衝支持部材を構成しプラスチックフィルムを取付ける過程を示す斜視図である。
【図５】本発明の実施例における、緩衝支持部材の折曲げ片部に補強フレーム及びプラスチックフィルムを取り付けた状態を示す斜視図である。
【図６】本発明の別の実施例において、緩衝支持部材の開口部に補強フレーム及びプラスチックフィルムを取り付けた状態を示す斜視図である。
【図７】本発明の別の実施例において、緩衝支持部材の開口部に加えて折曲げ片部にも補強フレームを取り付けた状態を示す斜視図である。
【図８】本発明の別の実施例において、一方の緩衝支持部材のフィルム上に梱包品を載置した状態を示す示す斜視図である。
【図９】本発明の別の実施例において、一対のプラスチック段ボール製の梱包用緩衝支持枠を用いて梱包品を挟持した状態を示す斜視図である。
【発明を実施するための形態】
【００１３】
本発明を実施するための形態を以下に説明する。もちろん、本発明は、その発明の趣旨に反しない範囲で、本実施形態において説明した以外の構成のものに対しても容易に適用可能なことは説明を要するまでもない。
【００１４】
以下、本発明の実施例におけるプラスチック段ボール製の梱包用緩衝支持枠について、図１〜図９に基づいて説明する。
図１にプラスチック段ボール製の梱包用緩衝支持枠１００を構成する緩衝支持部材１０を展開したプラスチック段ボール板１の平面図を示す。緩衝支持部材１０を形成するプラスチック段ボール板１は、矩形に形成された枠体部２と、当該枠体部２と一体的に形成され、点線部分を折り曲げることで緩衝支持部材１の側面部を形成する折曲げ片部３、４から構成される。枠体部２には開口部Ａが形成される。折曲げ片部３、４には、後述する補強フレームを係止するための小孔３ａ，４ａが形成されている。また、枠体部２と折り曲げ片部３、４の折り曲げ部が直交する箇所に孔部２ａを形成する。この孔部８ａを形成することにより、接続部７及び防護片９，９を折り曲げた際にプラスチック段ボール板が圧縮されて形成されることがあるバリを防止することができる。
【００１５】
図２及び図３は、図１に示すプラスチック段ボール板１を折り曲げて緩衝支持部材１０を形成した際、緩衝支持部材１０に取り付ける補強フレームであり、図２は、緩衝支持部材１０の折曲げ片部３、４の端縁辺部に取り付ける辺部補強サッシであり、図３は、コーナー部補強サッシである。図２に示す補強フレームは、断面視略コ字状に形成される樹脂製の辺部補強サッシ５であり、コ字状の間にプラスチック段ボールを挟持してプラスチック段ボールの端部を損傷から保護と共に強度を確保する。辺部補強サッシ５の内の内側には図２（Ｂ）に示すように係止爪５ａ，５ａが形成されており、これ等の係止爪５ａ，５ａは、辺部補強サッシ５が緩衝支持部材１０の折曲げ片部３、４に挿入されると、夫々が、折曲げ片部３、４に形成された小孔３ａ，４ａに係合し、折曲げ片部３、４に対する係合を維持する。図３に示す補強フレームは、コーナー部補強サッシ６であり、緩衝支持部材１０の側面部である折曲げ片部３に挿入された辺部補強サッシ５と折曲げ片部４に挿入されたコーナー部補強サッシ６とを連結し、さらに緩衝支持部材１０の角を損傷から保護するものである。辺部補強サッシ５はその両側にコーナー部補強サッシ６を挿入するために、両端に幅狭部が形成されている。また、辺部補強サッシ５の両方の外側縁には小孔５ｂ，５ｂが形成されており、コーナー部補強サッシ６の対応位置には、小孔５ｂ，５ｂに係止される係止爪６ａ，６ａが形成されている。コーナー部補強サッシ６は、折曲げ片部３に挿入された辺部補強サッシ５と折曲げ片部４に挿入された辺部補強サッシ５に挿入されることにより、両辺の折曲げ片部３及び４を固定・補強する。
【００１６】
図４は、プラスチック段ボール板１を折り曲げて構成した緩衝支持部材１０にプラスチックフィルム７を取付ける過程を示す斜視図であり、プラスチックフィルム７の上に折り曲げた緩衝支持部材１０を乗せた状態を示している。図示はしないが、図４の状態から、プラスチックフィルム７を枠体部２の開口部Ａを覆って、緩衝支持部材１０の側面部である折曲げ片部３と４を巻き込み、その後に、折曲げ片部３及び４に対してプラスチックフィルム７を巻き込んだ状態で辺部補強サッシ５を挿入し、小孔３ａ，４ａに係止爪５ａ，５ａを係止させる。その後、折曲げ片部３に挿入された辺部補強サッシ５と折曲げ片部４に挿入された辺部補強サッシ５のコーナー部に対して、コーナー部補強サッシ６を挿入して緩衝支持部材１０を固定する（図５）。
【００１７】
図６は、本発明の別の実施例であり、枠体部２の開口部Ａに、辺部補強サッシ５，５をした状態の緩衝支持部材１０の斜視図である。図６では、このような緩衝支持部材１０の開口部Ａを覆うプラスチックフィルム７が、緩衝支持部材１０の上方に配置された状態を示している。開口部Ａに対して挿入される辺部補強サッシ５は、外れる可能性は小さいので、必ずしも、第一の実施例のようにコーナー部補強サッシ６を用いる必要はない。その場合は、辺部補強サッシ５には両端部に幅狭部を形成する必要はない。この実施例の場合も、第一の実施例と同様に、係止爪５ａ，５ａを形成することができる。その場合には、折曲げ片部３、４においても、係止爪５ａ，５ａに対応する位置に小孔３ａ，３ａが形成されるのが望ましい。折曲げ片部３、４に小孔３ａ，３ａが形成されない場合は、係止爪５ａ，５ａによってのみ、辺部補強サッシ５が折曲げ片部３、４の側面部に引っ掛かって係止される。
【００１８】
図７は、図６の状態の緩衝支持部材１０に対して、さらに、枠体部２の側面部である折曲げ片部３、４の端縁部及びコーナーに、辺部補強サッシ５及びコーナー部補強サッシ６を取り付けた状態の梱包用緩衝支持枠１００を示す裏面からの斜視図である。この実施例においても、側面部である折曲げ片部３、４の端縁部に辺部補強サッシ５及びコーナー部補強サッシ６を挿入固定する手法は、第１の実施例の手法と同一である。このように、辺部補強サッシ５を取付け、コーナー部補強サッシ６を取り付ける際、プラスチックフィルム７を挟み込んで取り付け固定することで、開口部Ａをプラスチックフィルム７によって閉塞することができる。
【００１９】
また、このようにプラスチック段ボール紙１の夫々の端縁部に辺部補強サッシ５やコーナー部補強サッシ６を設けることで、プラスチック段ボール紙１を折り曲げてなる緩衝支持部材１０の端縁部が潰れることを防止し、また同端縁部が鋭利なことによって利用者が怪我をすることを防止し、また緩衝支持部材１の強度を著しく向上させることができる。
【００２０】
図８は、一対の緩衝支持部材１０からなるプラスチック段ボール製の梱包用緩衝支持枠１００を用いて梱包品Ｂを挟む前の状態を示す斜視図であり、図９は、梱包品Ｂを挟んだ状態を示す斜視図である。図８に示すように緩衝支持部材１０の一方のプラスチックフィルム７の上に梱包品Ｂを載置し、続いて図９に示すように、その上からプラスチックフィルム７によって梱包品１０を覆うように、他方の梱包用緩衝支持枠１００を被せて、梱包品Ｂを挟持梱包する。
【００２１】
図９に示す状態のプラスチック段ボール製の梱包用緩衝支持枠１００に対し、図示しない紐やバンドによって固定し若しくは搬送用のケース等に収納することで、梱包品Ｂが上下のプラスチックフィルム７，７から離脱することなく梱包することができる。また、梱包品Ｂは、上下２枚のプラスチックフィルム７，７によって挟持された状態となることから、外部からの衝撃を梱包品Ｂに直接伝搬されることがなく、安全に梱包品Ｂを搬送することが可能となる。
【００２２】
以上のように構成されるプラスチック段ボール製の梱包用緩衝支持枠１００によれば、一対の緩衝支持部材１０を用いて上下２枚のプラスチックフィルム７，７にて梱包品Ｂを挟持し、離脱しないようバンドや紐等で締結することのみでも、プラスチック段ボール製の梱包用緩衝支持枠１００を搬送ケースとして使用することもできる。また、この梱包用緩衝支持枠１００をより強固なケースの内部に収容することで、梱包品Ｂの緩衝材としても用いることもできる。これらの使用方法は、特に説明しないが、第１の実施例の梱包用緩衝支持枠１００においても同様である。
【００２３】
また、緩衝支持部材１０の折曲げ片部３，４はリベット等で締結したものではなく、辺部補強サッシ５及びコーナー部補強サッシ６を用いてその形状を維持するよう構成していることから、これらの辺部補強サッシ５、コーナー部補強サッシ６を取り外すことで夫々を１枚のプラスチック製段ボール板１とすることができ、即ち一対の緩衝支持部材１０で都合２枚の平板状のプラスチック段ボール板１と補強フレーム（辺部補強サッシ５及びコーナー部補強サッシ６）に分解することができるため、プラスチック段ボール製の梱包用緩衝支持枠１００の使用を終えて、梱包用緩衝支持枠１００を返送する場合、或いは収納する場合に、使用時の形状に比べて収納スペースを著しく圧縮することができる。
【００２４】
更に、辺部補強サッシ５及びコーナー部補強サッシ６の係止片５ａ，６ａによって強固に係止され、一体的となることにより高い強度を有するため、プラスチック段ボール製の梱包用緩衝支持枠１００のみを複数組重ねて搬送するような運用も可能であり、従来の輸送用ケース等と比較してもコンパクトとなり、輸送コストの低減も図ることができる。
【符号の説明】
【００２５】
１  プラスチック製段ボール板
１０  緩衝支持部材
１００  プラスチック段ボール製の梱包用緩衝支持枠
２  枠体部
Ａ  開口部
３、４  側面部としての折曲げ片部
５  辺部補強サッシ
６  コーナー部補強サッシ
７  プラスチックフィルム
Ｂ  梱包品
【図１】
0006434761.tif 000002
【図２】
0006434761.tif 000003
【図３】
0006434761.tif 000004
【図４】
0006434761.tif 000005
【図５】
0006434761.tif 000006
【図６】
0006434761.tif 000007
【図７】
0006434761.tif 000008
【図８】
0006434761.tif 000009
【図９】
0006434761.tif 000010